(57)【特許請求の範囲】
【請求項１】
構造物の屋内側と屋外側とを連通し、かつ開閉体によって開閉される開口部に設置されるシートと、
前記シートの幅方向の両端に取り付けられたサイド部材と、
前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記サイド部材を保持する保持部材と、
前記サイド部材と前記保持部材とのうちの少なくとも一方に取り付けられ、かつ前記サイド部材と前記保持部材との間を止水する止水ゴムと、
前記サイド部材と前記保持部材とを着脱自在とする着脱機構部と、を備え、
前記止水ゴムは、前記サイド部材と前記保持部材とのうちの少なくとも一方の前記着脱機構部よりも前記開口部の内側寄りに配置されているとともに、
前記止水ゴムは、前記サイド部材に取り付けられ、かつ前記保持部材の前記サイド部材が重ねられる重なり面と、前記重なり面に連なりかつ前記開口部に臨む前記保持部材の内側面と、に接触する位置に配置されている
ことを特徴とする開口部の防水装置。
【請求項２】
前記止水ゴムは、前記保持部材が取り付けられる縦方立に接触する位置に配置されている
ことを特徴とする請求項１に記載の開口部の防水装置。
【請求項３】
前記着脱機構部は、
前記保持部材から前記サイド部材に向かって凸に設けられているとともに、前記保持部材に連なる細部と、前記細部の前記サイド部材寄りに連なりかつ前記細部よりも太い太部と、を有する着脱突起と、
前記サイド部材に設けられているとともに、前記太部を通すことができる大穴部と、前記大穴部の上方に連なりかつ前記太部を通すことが規制されかつ前記細部を通すことができる小穴部と、を有する着脱穴と、を備え、
前記着脱突起の前記太部を前記着脱穴の前記大穴部内に通すと、前記サイド部材の上端よりも前記保持部材の上端が上方に配置されている
ことを特徴とする請求項１または２に記載の開口部の防水装置。
【発明の詳細な説明】
【技術分野】
【０００１】
本発明は、開口部の防水装置に関する。
【背景技術】
【０００２】
従来、開閉体によって開閉される構造物の開口部からの浸水を抑制する技術が提案されている。例えば、特許文献１には、開閉体としてのシャッターの表面に屈曲自在な防水シートが設けられていると共に、シャッターと構造物とを一体に覆う防水シートを保持する保持部材を備えた開口部の防水装置が開示されている。
【先行技術文献】
【特許文献】
【０００３】
【特許文献１】特開２０１４−３７７１７号公報
【発明の概要】
【発明が解決しようとする課題】
【０００４】
前述した特許文献１に示された技術では、開口部からの浸水をさらに抑制できることが求められている。
【０００５】
本発明の目的は、開口部からの浸水をさらに抑制できることができる開口部の防水装置を提供することである。
【課題を解決するための手段】
【０００６】
本発明の開口部の防水装置は、構造物の屋内側と屋外側とを連通し、かつ開閉体によって開閉される開口部に設置されるシートと、前記シートの幅方向の両端に取り付けられたサイド部材と、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記サイド部材を保持する保持部材と、前記サイド部材と前記保持部材とのうちの少なくとも一方に取り付けられ、かつ前記サイド部材と前記保持部材との間を止水する止水ゴムと、前記サイド部材と前記保持部材とを着脱自在とする着脱機構部と、を備え、前記止水ゴムは、前記サイド部材と前記保持部材とのうちの少なくとも一方の前記着脱機構部よりも前記開口部の内側寄りに配置されているとともに、前記止水ゴムは、前記サイド部材に取り付けられ、かつ前記保持部材の前記サイド部材が重ねられる重なり面と、前記重なり面に連なりかつ前記開口部に臨む前記保持部材の内側面と、に接触する位置に配置されていることを特徴とする。
【０００７】
上記開口部の防水装置では、保持部材とシートの幅方向の両端に取り付けられたサイド部材との間にこれらの間を止水する止水ゴムを設けているので、保持部材にサイド部材を着脱自在としても、保持部材とサイド部材との間からの浸水を抑制することができる。したがって、開口部の防水装置は、開口部からの浸水をさらに抑制できることができる、という効果を奏する。また、上記開口部の防水装置では、止水ゴムが着脱機構部よりも開口部寄りに配置されているので、シートの屋外側から水圧が作用して、サイド部材に開口部寄りの端部が開閉体に近付く方向の力が作用しても、当該力により止水ゴムがつぶされることとなる。したがって、開口部の防水装置は、シートの屋外側から水圧が作用しても、止水ゴムがサイド部材と保持部材との間を止水することができ、開口部からの浸水をさらに抑制できることができる、という効果を奏する。また、上記開口部の防水装置では、止水ゴムが保持部材の重なり面と内側面とに接触するので、止水ゴムが保持部材とサイド部材との間を止水することができる。
【００１２】
上記開口部の防水装置において、前記止水ゴムは、前記保持部材が取り付けられる縦方立に接触する位置に配置されているものとすることができる。
【００１３】
上記開口部の防水装置では、止水ゴムが保持部材の重なり面と内側面に加えて縦方立に接触する位置に配置されているので、止水ゴムが保持部材とサイド部材との間を止水することができる。
【００１４】
上記開口部の防水装置において、前記着脱機構部は、前記保持部材から前記サイド部材に向かって凸に設けられているとともに、前記保持部材に連なる細部と、前記細部の前記サイド部材寄りに連なりかつ前記細部よりも太い太部と、を有する着脱突起と、前記サイド部材に設けられているとともに、前記太部を通すことができる大穴部と、前記大穴部の上方に連なりかつ前記太部を通すことが規制されかつ前記細部を通すことができる小穴部と、を有する着脱穴と、を備え、前記着脱突起の前記太部を前記着脱穴の前記大穴部内に通すと、前記サイド部材の上端よりも前記保持部材の上端が上方に配置されているものとすることができる。
【００１５】
上記開口部の防水装置では、着脱機構部の着脱突起の太部を着脱穴の大穴部内に通して、保持部材にサイド部材を取り付けようとする状態、即ち、保持部材にシートの幅方向の両端を取り付けようとすると、保持部材の上端がサイド部材の上端よりも上方に配置される。このため、開口部の防水装置は、着脱機構部の着脱突起の太部を着脱穴の大穴部内に通して、保持部材にサイド部材を重ねて、サイド部材を下方に移動させて着脱突起の細部を大穴部から小穴部に侵入させようとしても、即ちサイド部材を保持部材に固定しようとしても、止水ゴムが保持部材の重なり面上を移動することとなる。したがって、開口部の防水装置は、シートの着脱により止水ゴムが破損してしまう虞を抑制することができる。
【発明の効果】
【００１６】
本発明に係る開口部の防水装置は、開口部からの浸水をさらに抑制することができるという効果を奏する。
【図面の簡単な説明】
【００１７】
【図１】図１は、実施形態に係る開口部の防水装置を示す斜視図である。
【図２】図２は、実施形態に係る開口部の防水装置により防水される開口部などを示す斜視図である。
【図３】図３は、実施形態に係る開口部の防水装置のシートに取り付けられたサイド部材の着脱穴の大穴部と着脱突起の太部とを相対させた状態を示す斜視図である。
【図４】図４は、実施形態に係る開口部の防水装置のシートに取り付けられたサイド部材の着脱穴の大穴部内に着脱突起の太部を通した状態を示す斜視図である。
【図５】図５は、実施形態に係る開口部の防水装置のシートに取り付けられたサイド部材を保持部材に取り付けた状態を示す斜視図である。
【図６】図６は、図３中のＶＩ−ＶＩ線に沿う断面図である。
【図７】図７は、図４中のＶＩＩ−ＶＩＩ線に沿う断面図である。
【図８】図８は、図５中のＶＩＩＩ−ＶＩＩＩ線に沿う断面図である。
【図９】図９は、実施形態の変形例に係る開口部の防水装置の要部の断面図である。
【発明を実施するための形態】
【００１８】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１９】
［実施形態］
図１から図８を参照して、実施形態について説明する。実施形態は、構造物の開口部を防水する開口部の防水装置に関する。図１は、実施形態に係る開口部の防水装置を示す斜視図、図２は、実施形態に係る開口部の防水装置により防水される開口部などを示す斜視図、図３は、実施形態に係る開口部の防水装置のシートに取り付けられたサイド部材の着脱穴の大穴部と着脱突起の太部とを相対させた状態を示す斜視図、図４は、実施形態に係る開口部の防水装置のシートに取り付けられたサイド部材の着脱穴の大穴部内に着脱突起の太部を通した状態を示す斜視図、図５は、実施形態に係る開口部の防水装置のシートに取り付けられたサイド部材を保持部材に取り付けた状態を示す斜視図、図６は、図３中のＶＩ−ＶＩ線に沿う断面図、図７は、図４中のＶＩＩ−ＶＩＩ線に沿う断面図、図８は、図５中のＶＩＩＩ−ＶＩＩＩ線に沿う断面図である。
【００２０】
建物等の構造物の外部開口部には、開閉体としてのシャッターや開閉扉が付けられることが多い。例えば、洪水時などに浸水しやすい地下駐車場の入口や、浸水すると商品が毀損されやすい店舗の入口等にもシャッターや開閉扉が付けられていることが多い。シャッターは、隙間が多い構造であるため、ゲリラ豪雨や洪水時にはシャッターの隙間を介した浸水によってこれらの施設が被害に遭う可能性がある。また、開閉扉には、扉間及び各扉と開口部との間に隙間があるために、ゲリラ豪雨や洪水時には隙間を介した浸水によって店舗等の施設が被害に遭う可能性がある。
【００２１】
浸水対策として、シャッターや開閉扉の下部を防水板（パネル）に変更する方法も考えられるが、一般的に高額となりやすいため、ユーザーにとって受け入れにくい場合がある。
【００２２】
本実施形態の開口部の防水装置１は、開閉体としてのシャッターや開閉扉の前にシートを設置して、簡易的にかつ安価に止水することを可能とする。シートは、開閉体とその周囲の構造物とを一体に覆うことで、開閉体と構造物との隙間を閉塞し、適切に止水することができる。よって、本実施形態の開口部の防水装置１によれば、水害による建物内部の被害を軽減することができる。
【００２３】
図１に示す開口部の防水装置１は、構造物Ｓの開口部Ｏ（図２等に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓのガラスなどの透明又は半透明の材料で構成された壁部３等に形成されており、構造物Ｓの屋外側と屋内側とを連通している。本実施形態では、開口部Ｏは、アルミニウム合金で構成されかつ壁部３よりも厚い縦方立３ａ（壁部に相当）などにより囲まれている。また、本実施形態では、壁部３の下端部には、図１及び図２に示すように、壁部３よりも厚い幅木６が設けられている。
【００２４】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。また、壁部３は、予め十分な止水性を有するものが好ましいが、例えば、嵌め殺しサッシ、塀などの許容できる範囲内で水漏れするもの、又は、別途止水性を付加（例えば、土嚢の設置や公知の水密処理など）して止水性を発揮するものでもよい。
【００２５】
前述した開口部Ｏには、当該開口部Ｏを開閉する開閉体としての開閉扉４が設けられている。開閉扉４は、図２等に示すように、開閉方向、本実施形態では左右水平方向に移動する扉５を一対備えている。
【００２６】
開閉扉４の一対の扉５は、図示しないガイドレールによって案内される。ガイドレールは、開口部Ｏの上下両端に設けられ、壁部３の表面と平行である。扉５の上下方向の両端部は、それぞれガイドレールの溝部に挿入されている。溝部は、開閉方向即ち左右水平方向に延在しており、扉５を開閉方向、即ち、左右方向に移動自在に案内する。扉５の幅方向の両端には、扉側縦方立５ａが設けられ、扉５の下端部には、扉側幅木５ｂが設けられている。扉側縦方立５ａの厚みと扉側幅木５ｂの厚みはほぼ等しい。なお、本発明でいう床面とは、説明上分かりやすくするための便宜上の表現であって、通常の床面７のみならず、コンクリート面や地面等の開口部Ｏの下方に位置する面を総称する。
【００２７】
開閉扉４は、一対の扉５が互いに近付いて開口部Ｏを閉塞し、一対の扉５が互いに離間して開口部Ｏを開放する。扉５の移動は、手動でなされても、モータ等の駆動装置によって自動でなされてもよい。本実施形態の開閉扉４は、一対の扉５、ガイドレールなどを有する。
【００２８】
図１に戻り、開口部の防水装置（以下、防水装置と呼ぶ）１は、シート１０、一対のサイド部材２０、一対の保持部材３０、止水ゴム４０、着脱機構部５０、押圧部材６０などを備える。シート１０は、開口部Ｏを塞ぐように開口部Ｏよりも屋外側に設置されるものであり、開口部Ｏの鉛直方向下端側の領域を閉塞することが可能な幅および長さを有している。シート１０の形状は、例えば、矩形である。シート１０は、遮水性を有しており、開口部Ｏの防水シートとして機能することができる。また、シート１０は、可撓性を有しており、伸縮可能であってもよい。シート１０の素材は、例えば、樹脂、ゴム、表面を樹脂などでコーティングした布とすることができる。シート１０は、水圧によって追従して変形可能な素材で構成されることが好ましい。
【００２９】
シート１０の幅は、開閉扉４の幅よりも大きい。また、シート１０の幅は、開口部Ｏの幅Ｗ（図１及び図２参照）よりも大きいことが好ましい。シート１０の鉛直方向の長さは、対応すべき水深に基づいて定められている。すなわち、開閉扉４の下端から鉛直方向上側に向けてどの範囲をシート１０によって覆い防水するかに基づいてシート１０の全長が定められている。以下の説明では、開閉扉４においてシート１０によって覆われるべき部分を「所定部」（図１の符号４１参照）と称する。所定部４１は、開閉扉４の鉛直方向下端側の部分である。
【００３０】
サイド部材２０は、シート１０の幅方向の両端にそれぞれに取り付けられている。サイド部材２０は、着脱部材２１と、シート保持部材２２とを備えている。着脱部材２１とシート保持部材２２は、アルミニウム合金などの軽量な金属で構成されている。着脱部材２１とシート保持部材２２とは、シート１０の幅方向の両端の上端から所定部４１の下端に対応する箇所、即ち、シート１０の幅方向の両端の後述のシート下部１３を除く箇所に配置されている。着脱部材２１は、板状に形成され、かつシート１０の長さ方向（鉛直方向）に延在している。シート保持部材２２は、断面く字状の棒状に形成され、かつシート１０の長さ方向（鉛直方向）に延在している。サイド部材２０は、着脱部材２１とシート保持部材２２との間にシート１０の幅方向の両端を挟み込んで、着脱部材２１とシート保持部材２２とが固定されることで、シート１０の幅方向の両端に取り付けられている。本実施形態では、サイド部材２０は、全長に亘って着脱部材２１の幅方向の一端部がシート１０の幅方向の両端よりも外側に位置し、シート保持部材２２の一方の平板部２２ａが着脱部材２１との間のシート１０の幅方向の両端を挟んで、一方の平板部２２ａと着脱部材２１とが固定されている。また、サイド部材２０は、シート保持部材２２の他方の平板部２２ｂが一方の平板部２２ａの幅方向の内側の縁から着脱部材２１から離間する方向に立設している。
【００３１】
保持部材３０は、シート１０を開閉扉４よりも屋外側に位置付けて構造物Ｓに対してサイド部材２０を保持する。より詳しくは、保持部材３０は、シート１０が開閉扉４の所定部４１と、構造物Ｓのうち所定部４１に隣接する部分とを一体に覆うことで開口部Ｏの鉛直方向下端側を閉塞させるようにサイド部材２０を保持する。また、保持部材３０は、シート１０の鉛直方向下端部が床面７に沿って屋外側に向けて延在するように、サイド部材２０を保持する。これにより、シート１０は、開閉扉４が有する隙間や開閉扉４と構造物Ｓとの隙間を塞ぎ、屋内側への浸水を抑制することができる。なお、本明細書では、シート１０の鉛直方向下端部であって、シート１０が保持部材３０によって保持された状態で床面７に沿って延在する部分を、以下「シート下部１３」と記載する。
【００３２】
図１に示すように、保持部材３０は、一対設けられ、縦方立３ａに着脱自在である。保持部材３０は、板状に形成され、図３に示すように、鉛直方向と平行な状態で縦方立３ａの鉛直方向下端部に取り付けられる。保持部材３０は、一方の表面３１が縦方立３ａの屋外側の表面に重ねられて、縦方立３ａの鉛直方向下端部に取り付けられる。保持部材３０は、アルミニウム合金等で構成され、全長がサイド部材２０の全長即ち所定部４１の高さよりも長く形成されている。また、保持部材３０は、他方の表面３２（重なり面に相当）にサイド部材２０の着脱部材２１が重ねられて、着脱機構部５０によりサイド部材２０が取り付けられる。保持部材３０は、着脱機構部５０によりサイド部材２０が取り付けられて、シート１０の幅方向の両端を保持する。
【００３３】
また、保持部材３０にサイド部材２０が取り付けられると、サイド部材２０の着脱部材２１の幅方向の開口部Ｏの内側寄りの他端部が全長に亘って保持部材３０よりも開口部Ｏの内側に突出する。また、本実施形態では、保持部材３０は、縦方立３ａに取り付けられると、図６などに示すように、縦方立３ａとの間に鉛直方向の全長に亘って止水部材７０を設ける。
【００３４】
止水ゴム４０は、サイド部材２０と保持部材３０とのうちの少なくとも一方に取り付けられ、かつサイド部材２０と保持部材３０との間に介在して、サイド部材２０と保持部材３０との間を止水するものである。本実施形態では、止水ゴム４０は、サイド部材２０の着脱部材２１の保持部材３０に重ねられる面２１ａの鉛直方向の全長に亘って設けられている。また、止水ゴム４０は、板状に形成され、かつサイド部材２０の着脱部材２１の幅方向の開口部Ｏの内側寄りの他端部に取り付けられて、着脱機構部５０よりも開口部Ｏの内側寄りに配置されている。
【００３５】
また、止水ゴム４０は、サイド部材２０の着脱部材２１の幅方向の開口部Ｏの内側寄りの他端部に取り付けられて、保持部材３０の幅方向の開口部Ｏの内側寄りの端部に重なる位置に配置されている。このように、止水ゴム４０は、サイド部材２０の着脱部材２１の幅方向の開口部Ｏの内側寄りの他端部に取り付けられて、保持部材３０のサイド部材２０が重ねられる他方の表面３２と、他方の表面３２に連なりかつ開口部Ｏの内側に臨む保持部材３０の内側面３３とに接触する位置に配置されている。
【００３６】
止水ゴム４０は、所定の弾性を有する弾性部材（ゴム）であり、例えば、独立気泡型の樹脂（ゴム）材や気泡を有しない柔らかめの樹脂等を用いることができる。本実施形態の止水ゴム４０は、硬度が１〜３０までの発泡ゴムで構成されている。なお、本発明でいう硬度とは、ＪＩＳ（日本工業規格）Ｋ６２５３−１〜５で定められた数値をいう。また、本実施形態では、止水ゴム４０は、図６に示すように、合成樹脂で構成されかつ薄膜のフィルム４２により覆われている。
【００３７】
着脱機構部５０は、サイド部材２０と保持部材３０とを着脱自在とするものであって、保持部材３０即ち構造物Ｓの縦方立３ａにシート１０を着脱自在とするものである。着脱機構部５０は、図３及び図６などに示すように、着脱突起５１と、着脱穴５２とを備える。本実施形態では、着脱機構部５０は、着脱突起５１と、着脱穴５２とを複数備える。着脱突起５１と着脱穴５２とは、１対１で対応している。
【００３８】
着脱突起５１は、保持部材３０からサイド部材２０に向かって凸に設けられている。着脱突起５１は、保持部材３０の他方の表面３２の幅方向の中央に設けられている。複数の着脱突起５１は、保持部材３０の他方の表面３２に鉛直方向に間隔をあけて設けられている。着脱突起５１は、保持部材３０に連なる円柱状の細部５１ａと、細部５１ａのサイド部材２０寄りに連なりかつ細部５１ａよりも太い円柱状の太部５１ｂとを一体に有している。細部５１ａと太部５１ｂとは、同軸に配置されている。
【００３９】
着脱穴５２は、サイド部材２０の着脱部材２１に設けられ、本実施形態では、サイド部材２０の着脱部材２１を貫通している。着脱穴５２は、サイド部材２０の着脱部材２１の前述した面２１ａから凹の凹みであってもよい。着脱穴５２は、サイド部材２０の着脱部材２１の幅方向の開口部Ｏの外側寄りの一端部に設けられている。複数の着脱穴５２は、サイド部材２０の着脱部材２１の面２１ａに鉛直方向に間隔をあけて設けられている。着脱穴５２は、太部５１ｂを通すことができる大穴部５２ａと、大穴部５２ａの上方に連なりかつ太部５１ｂを通すことが規制されかつ細部５１ａを通すことができる小穴部５２ｂとを有している。大穴部５２ａの平面形状は、丸形に形成されている。大穴部５２ａの内径は、太部５１ｂの外径よりも大きい。小穴部５２ｂは、大穴部５２ａの上縁から鉛直方向に沿って上方に延びた長穴形状に形成されている。小穴部５２ｂの幅は、太部５１ｂの外径よりも小さく、細部５１ａの外径よりも大きい。
【００４０】
着脱機構部５０は、大穴部５２ａ内に太部５１ｂを通して、大穴部５２ａ内に細部５１ａを位置付けた状態で、細部５１ａを小穴部５２ｂ内に移動することで、保持部材３０にサイド部材２０を取り付ける。また、着脱機構部５０は、小穴部５２ｂ内の細部５１ａを大穴部５２ａ内に移動した後、大穴部５２ａ内から太部５１ｂを抜き取ることで、保持部材３０からサイド部材２０を取り外す。また、着脱穴５２は、下端が床面７に接する状態で保持部材３０が縦方立３ａに取り付けられ、かつ、保持部材３０にサイド部材２０が取り付けられると、サイド部材２０の下端が床面７に略接する位置に配置されている。
【００４１】
押圧部材６０は、シート１０のシート下部１３上に配置されて、シート１０を構造物Ｓ及び床面７に向けて押圧するものであり、例えばシート１０を床面７、構造物Ｓの壁部３、縦方立３ａおよび開閉扉４の各扉５に向けて押圧する。押圧部材６０は、図１に示すように、シート下部１３上の開口部Ｏの幅方向に沿って連続的に配置される。押圧部材６０は、隙間無く配置されても、隣接する押圧部材６０間に所定の隙間を設けて配置されても良い。押圧部材６０は、棒状あるいは板状であることが好ましい。本実施形態に係る押圧部材６０は、板状のフラットバーである。押圧部材６０は、例えば、金属製であり、浮力に抗してシート１０のシート下部１３を床面７に向けて押圧することができる質量や密度を有している。押圧部材６０は、シート下部１３が床面７に沿って配置された後でシート下部１３上に設置される。これにより、押圧部材６０は、開閉扉４の下端部の近傍においてシート１０を床面７に密着させておくことができる。押圧部材６０は、一本でもよいし、複数に分割されていても結果として開口部Ｏの幅方向に沿って連続的に配置されていてもよい。なお、使用上における止水目的を達成できれば、連続的でなく、若干途切れている箇所があってもよい。
【００４２】
次に、シート１０を開口部Ｏに設置する方法、即ち、実施形態に係る防水装置１を組み立てる方法を図面を参照して説明する。
【００４３】
シート１０を開口部Ｏに設置する即ち防水装置１を組み立てる場合、まず、縦方立３ａに保持部材３０を取り付け、開閉扉４の扉５により開口部Ｏを閉塞させる。そして、図３及び図６に示すように、シート１０の幅方向の両端に取り付けられたサイド部材２０に設けられた着脱穴５２の大穴部５２ａと保持部材３０に設けられた着脱突起５１の太部５１ｂとを相対させる。なお、このとき、互いに対応する着脱穴５２の大穴部５２ａと着脱突起５１の太部５１ｂとを相対させる。
【００４４】
その後、図４及び図７に示すように、着脱穴５２の大穴部５２ａ内に保持部材３０の着脱突起５１の太部５１ｂを通して、保持部材３０にサイド部材２０の着脱部材２１を重ねる。このとき、着脱突起５１の太部５１ｂを着脱穴５２の大穴部５２ａ内に通すと、サイド部材２０の着脱部材２１の上端よりも保持部材３０の上端が上方に配置されている。また、着脱突起５１の太部５１ｂを着脱穴５２の大穴部５２ａ内に通すと、図７に示すように、止水ゴム４０がサイド部材２０の着脱部材２１と保持部材３０とに挟まれて弾性変形するとともに、保持部材３０の他方の表面３２と内側面３３に接触する。
【００４５】
そして、サイド部材２０を下方に移動させて、細部５１ａを小穴部５２ｂ内に移動させて、図５及び図８に示すように、着脱突起５１の太部５１ｂと保持部材３０との間にサイド部材２０の着脱部材２１を挟んで、保持部材３０にサイド部材２０を固定する。すると、止水ゴム４０が保持部材３０の全長に亘って、保持部材３０とサイド部材２０との間を止水し、シート１０と縦方立３ａとの間を止水する。そして、シート１０のサイド部材２０が取り付けられていないシート下部１３を、サイド部材２０の下端に設けられた間隙を通して、幅木６及び床面７上に引き出し、床面７に沿って屋外側に向けて延在させる。
【００４６】
なお、シート１０の幅は、開口部Ｏの幅Ｗ（図２参照）よりも大きく、以下に示すような幅に設定している。すなわち、シート１０の両端が保持部材３０によって保持された状態で、シート１０は、若干のたるみを有している。つまり、保持部材３０は、シート１０がたるみを有した状態でシート１０を保持し、シート１０が保持部材３０よりも開閉扉４側に向けて撓むことを許容する。また、シート１０の幅と、開口部Ｏの幅Ｗとの寸法差に応じて、シート１０を適宜折り畳んで、開口部Ｏに設置されたシート１０が若干のたるみを有してもよい。
【００４７】
また、シート１０の鉛直方向の長さは、開閉扉４の所定部４１の鉛直方向の長さよりも長く、以下に示すような長さに設定している。すなわち、シート１０が保持部材３０によって保持された状態で、シート下部１３を床面７上に垂らし、床面７に沿わせることが可能な長さである。シート１０は、このシート下部１３を床面７に沿って屋外側に向けて延在された状態で設置される。言い換えると、シート１０は、シート下部１３が床面７と対向し、かつシート下部１３が先端側へ向かうに従い開閉扉４から離間するように配置される。
【００４８】
そして、押圧部材６０をシート下部１３上に配置して、開口部Ｏを塞ぐようにシート１０を設置する。こうして、シート１０が所定部４１と壁部３の所定部４１に隣接する部分とを一体に覆いかつシート下部１３が床面７に沿って屋外側に向けて延在した状態で、押圧部材６０によりシート１０を床面７、構造物Ｓの壁部３、幅木６および開閉扉４の各扉５に向けて押圧する。こうして、シート１０が開口部Ｏに設置される、即ち、防水装置１が組み立てられる。
【００４９】
本実施形態の防水装置１では、洪水やゲリラ豪雨等によって屋外の水嵩が増すと、まずシート下部１３が水に接する。水圧によってシート下部１３は床面７に向けて押圧されて、シート下部１３が床面７に密着する。これにより、シート下部１３と床面７との間から水が浸入することが抑制される。また、押圧部材６０によってシート下部１３が床面７に向けて押圧されていることで、低水位の場合であってもシート下部１３と床面７との隙間を介した浸水がより抑制される。また、押圧部材６０は、水流等によってシート下部１３が浮き上がることを抑制することが可能である。シート１０は、水圧によって所定部４１と、所定部４１に隣接する床面７とを一体に覆うことができる。
【００５０】
また、シート１０において、縦方立３ａおよび開閉扉４の各扉５を覆う部分は、水圧によって壁部３、縦方立３ａ、開閉扉４の各扉５に向けて押圧される。これにより、シート１０は、開閉扉４の所定部４１と、構造物Ｓのうち所定部４１に隣接する部分とを一体に覆うことができる。シート１０は、水圧によって押圧されることにより、壁部３、縦方立３ａ等に密着し、シート１０と壁部３、縦方立３ａの間に水が浸入することを抑制することができる。さらに、シート１０において、縦方立３ａおよび開閉扉４の各扉５を覆う部分が、水圧によって壁部３、縦方立３ａ、開閉扉４の各扉５に向けて押圧されると、保持部材３０とサイド部材２０の着脱部材２１との間で止水ゴム４０を潰そうとする。これにより、止水ゴム４０が保持部材３０とサイド部材２０の着脱部材２１等により密着し、保持部材３０とサイド部材２０との間に水が浸入することを抑制することができる。
【００５１】
また、シート１０は、水圧によって壁部３、縦方立３ａの間の隙間を塞ぐことで、これらの隙間を介した屋内側への浸水を抑制することができる。シート１０は、水圧によって開閉扉４の所定部４１と、所定部４１に隣接する床面７との隙間を塞ぐことで、開口部Ｏからの屋内側への浸水を抑制することができる。
【００５２】
シート１０は、水圧によって壁部３、縦方立３ａ、開閉扉４の各扉５に対して押圧されるため、水位が増加するに従い壁部３、縦方立３ａ等に対する密着性が増し、また各隙間を閉塞する閉塞性が増す。よって、シート１０は、水位に応じて遮水性能が増し、適切に屋内側への浸水を抑制することができる。
【００５３】
実施形態に係る防水装置１によれば、保持部材３０とシート１０の幅方向の両端に取り付けられたサイド部材２０との間にこれらの間を止水する止水ゴム４０を設けているので、保持部材３０にサイド部材２０を着脱自在としても、保持部材３０とサイド部材２０との間からの浸水を抑制することができる。したがって、防水装置１は、開口部Ｏからの浸水をさらに抑制できることができる、という効果を奏する。
【００５４】
また、防水装置１は、止水ゴム４０が着脱機構部５０よりも開口部Ｏの内側寄りに配置されているので、シート１０の屋外側から水圧が作用すると、着脱部材２１の開口部Ｏ寄りの他端部が開閉扉４に近付く方向の力が、シート１０によりサイド部材２０に作用する。すると、シート１０の屋外側から作用する水圧により、止水ゴム４０がつぶされることとなる。したがって、防水装置１は、シート１０の屋外側から水圧が作用しても、止水ゴム４０がサイド部材２０と保持部材３０との間を止水することができ、開口部Ｏからの浸水をさらに抑制できることができる、という効果を奏する。
【００５５】
また、防水装置１は、止水ゴム４０が保持部材３０の他方の表面３２と内側面３３とに接触するので、止水ゴム４０が保持部材３０とサイド部材２０との間を止水することができる。
【００５６】
さらに、防水装置１は、着脱機構部５０の着脱突起５１の太部５１ｂを着脱穴５２の大穴部５２ａ内に通して、保持部材３０にサイド部材２０を取り付けようとする状態、即ち、保持部材３０にシート１０の幅方向の両端を取り付けようとすると、保持部材３０の上端がサイド部材２０の上端よりも上方に配置される。このため、防水装置１は、太部５１ｂを大穴部５２ａ内に通して、保持部材３０にサイド部材２０の着脱部材２１を重ねて、サイド部材２０を下方に移動させて細部５１ａを大穴部５２ａから小穴部５２ｂに侵入させようとしても、即ちサイド部材２０を保持部材３０に固定しようとしても、止水ゴム４０が保持部材３０の上端などの角に擦れることなく、他方の表面３２上を移動することとなる。したがって、防水装置１は、シート１０の着脱により止水ゴム４０が破損してしまう虞を抑制することができる。
【００５７】
また、防水装置１は、シート１０により開口部Ｏからの浸水を抑制するので、軽量化を図ることができ、開口部Ｏに設置されない状態では、シート１０を折りたたむことができ、コンパクトに収納しておくことができる。防水装置１は、止水ゴム４０がフィルム４２により覆われているので、止水ゴム４０を保持部材３０上で摺動させることができ、シート１０を開口部Ｏに容易に設置することができる。さらに、防水装置１は、サイド部材２０の着脱部材２１に止水ゴム４０を取り付けているので、シート１０の表裏を容易に識別でき、シート１０を表裏を誤ることなく開口部Ｏに設置することができる。
【００５８】
［変形例］
図９を参照して、実施形態の変形例について説明する。図９は、実施形態の変形例に係る開口部の防水装置の要部の断面図である。なお、図９において、実施形態と同一部分には、同一符号を付して説明を省略する。
【００５９】
実施形態の変形例に係る防水装置１−１は、シート１０を開口部Ｏに設置する、即ち、防水装置１−１を組み立てると、図９に示すように、止水ゴム４０が他方の表面３２と内側面３３とに加えて縦方立３ａにも接触する位置に設けられている。
【００６０】
実施形態の変形例に係る防水装置１−１は、前述した実施形態と同様に、保持部材３０にサイド部材２０を着脱自在としても、開口部Ｏからの浸水をさらに抑制することができる、という効果を奏する。また、防水装置１−１は、止水ゴム４０が保持部材３０の他方の表面３２と内側面３３に加えて縦方立３ａにも接触する位置に配置されているので、止水ゴム４０が保持部材３０とサイド部材２０との間を止水でき、開口部Ｏからの浸水をさらに抑制できることができる、という効果を奏する。
【００６１】
本発明では、開閉体として、片開き引戸、引き違い引戸、屋内側に回動する開き戸、折り畳み戸、引戸と開き戸からなる親子扉、カーテン部に潜り戸を設けたシャッター、袖扉を有しその袖扉と一緒に開口部Ｏを閉鎖するシャッター、格子状の門扉であってもよい。また、本発明では、止水ゴム４０は、サイド部材２０に取り付けられることなく、保持部材３０に取り付けられてもよく、サイド部材２０と保持部材３０との双方に取り付けられてもよい。さらに、本発明では、着脱突起５１をサイド部材２０に設け、着脱穴５２を保持部材３０に設けてもよい。この場合、着脱穴５２は、保持部材３０の他方の表面３２から凹の凹みに形成するのが望ましい。
【００６２】
上記の実施形態及び変形例に開示された内容は、適宜組み合わせて実施することができる。
【符号の説明】
【００６３】
１，１−１  開口部の防水装置
３ａ  縦方立
４  開閉扉（開閉体）
７  床面
１０  シート
１３  シート下部（鉛直方向下端部）
２０  サイド部材
３０  保持部材
３２  他方の表面（重なり面）
３３  内側面
４０  止水ゴム
４１  所定部
５０  着脱機構部
５１  着脱突起
５１ａ  細部
５１ｂ  太部
５２  着脱穴
５２ａ  大穴部
５２ｂ  小穴部
Ｏ  開口部
Ｓ  構造物
【図１】
0006498011.tif 000002
【図２】
0006498011.tif 000003
【図３】
0006498011.tif 000004
【図４】
0006498011.tif 000005
【図５】
0006498011.tif 000006
【図６】
0006498011.tif 000007
【図７】
0006498011.tif 000008
【図８】
0006498011.tif 000009
【図９】
0006498011.tif 000010